(57)【要約】【課題】携帯電話機の待受画面を使って、随時、何処でもニュースを聞けるようにすることを課題とする。【解決手段】情報提供者から配送される第１の音声情報の受信装置及び前記音声情報を利用者に配信する処理装置を有するサーバ並びに前記サーバから配信された第２の音声情報を聴取する携帯電話機とよりなり、前記携帯電話機が前記サーバのサイトにアクセスする手段と、前記サーバから待受放送アプリケーションをダウンロードする手段と、起動した前記待受放送アプリケーション上で、前記サーバから配信された前記第２の音声情報を聴取及び保存する手段とを備えることを特徴とする。【選択図】  図２
2004253916.tif 000002
【特許請求の範囲】
【請求項１】
情報提供者から配送される第１の音声情報の受信装置及び前記音声情報を利用者に配信する処理装置を有するサーバ並びに前記サーバから配信された第２の音声情報を聴取する携帯電話機よりなる待受画面音声配信システムにおいて、
前記携帯電話機が前記サーバのサイトにアクセスする手段と、前記サーバから待受アプリケーションをダウンロードする手段と、起動した前記待受アプリケーション上で、前記サーバから配信された前記第２の音声情報を聴取及び保存する手段とを備える待受画面音声配信システム。
【発明の詳細な説明】
【０００１】
【発明の属する技術分野】
本発明は、待受画面音声配信システムに関する。携帯電話機の待受画面上の操作で、放送局などの情報提供者からのニュースなどの音声情報を聴取するシステムに関する。
【０００２】
【従来の技術】
パソコンを端末機として使い、ニュースを見聞きする場合、メールマガジンで送られてくるニュースを読む、ニュースを発行しているサイトに見にいく、インターネットラジオのホームページにアクセスしてニュースを聞くなどの方法がとられる。これらの方法は、何れも多くの手順が必要であった。そのためパソコンが利用されていた。また、ラジオを聞くだけなら、簡単な携帯ラジオが手軽に使えた。携帯電話機が生活必需品である昨今、携帯電話機の他に携帯ラジオを持ち運ぶのには不便である。情報を繰り返し聞こうとすると、テープレコーダー、ＣＤ，ＭＤなどのメディアドライブ装置が必要となる。
【０００３】
【発明が解決しようとする課題】
解決しようとする問題点は、携帯電話機の待受画面を使って、手軽に、随時、何処でも、繰り返し放送局などの情報提供者からの音声情報を聞けるようにすることである。
【０００４】
【課題を解決するための手段】
この課題を解決するために具現化した待受画面音声配信システムは、
情報提供者から配送される第１の音声情報の受信装置及び前記音声情報を利用者に配信する処理装置を有するサーバ並びに前記サーバから配信された第２の音声情報を聴取する携帯電話機とよりなり、
前記携帯電話機が前記サーバのサイトにアクセスする手段と、前記サーバから待受アプリケーションをダウンロードする手段と、起動した前記待受アプリケーション上で、前記サーバから配信された前記第２の音声情報を聴取及び保存する手段とを備えることを特徴とする。
【０００５】
【発明の実施の形態】
本発明は、サーバ管理者の保有するサーバと利用者の保有する携帯電話機とによって構成される。サーバは、サイト運営機能と、編集機能と、配信機能を備え、携帯電話機は、待受画面表示機能を備える。
【０００６】
【実施例】
図１は、この発明の実施の形態に係る待受画面音声配信システムを運営するにあたっての各構成要素の関係を示した機能ブロック図である。
【０００７】
この発明の実施の形態に係る待受画面音声配信システムは、情報提供者１とサーバ管理者２と利用者３より運営される。情報提供者１は、ラジオ放送局１１と音楽配信業者１２と音源（特別なコンテンツ）配信業者１３などよりなり、回線４１、４２などを通じてサーバ管理者２に音声情報（以下コンテンツという）を提供する。
【０００８】
利用者３は、携帯電話機３１を用いインターネット４３を通してサーバ２１のサイトにアクセスする。サーバ管理者２は、サイトを運営する。サーバ管理者２は、情報提供者１から提供されたコンテンツを編集し又は編集せず、利用者３に配信する。また、サーバ管理者２は、利用者３の携帯電話機に配信されたコンテンツを受信可能にするための駆動ファイルを提供する。サーバは、制御部、データ処理部、データベースとラジオ受信機を備え、サイト運営機能と、編集機能と、配信機能を司る。サイト運営機能には、登録利用者のメールアドレス対電話番号変換機能を備える。
【０００９】
図２は、実施の形態にかかる待受画面音声配信システムの情報提供者１、サーバ管理者２及び利用者３との間での手続き及び情報のやりとりを示したブロック図である。情報提供者１は、ニュース１１ａ、音楽１２ａ、音源１３ａなどの第１のコンテンツをサーバ管理者２に提供する。サーバ管理者２は、前記第１のコンテンツを編集し又は編集せず、第２のコンテンツ１１ｂ、１２ｂ、１３ｂなどとなし、利用者３の携帯電話機３１に自動配信する。
【００１０】
図３は、実施の形態にかかる待受画面音声配信システムにおける情報提供者１、サーバ管理者２及び利用者３との間のシステム実行のための準備作業を示したブロック図である。図２及び図３によって説明する。Ｓ３１にて、サーバ管理者２は、情報提供者３と再放送権又は再出版権などに係る提携契約１０１を実施する。Ｓ３２にて、利用者３は、サーバ管理者２と加入契約１０２を締結する。
【００１１】
以下は、ラジオニュース受信の契約に係る手順である。Ｓ３３にて、サーバ管理者２は、利用者３に対して、放送用待受アプリケーション１０３を発信し、利用者３は、これを携帯電話機３１にダウンロードする。Ｓ３４では、利用者３の携帯電話機３１の待受画面上にラジオ放送受信の設定項目が追加され、ラジオ放送受信の機能が設定される。Ｓ３５では、情報提供者１がサーバ２１に第１のコンテンツ１１ａを流す。Ｓ３６では、サーバ２１は、これを編集し、又は編集せずに第２のコンテンツ１１ｂを作成し自動配信システムで利用者３に配信する。Ｓ３７では、サーバ管理者２が自らコンテンツを企画・編集して、待受画面に提供する。音楽の配信、その他の音源情報の配信の契約についての、手順は、待受アプリケーションの内容が異なるが、ラジオニュース配信契約と同様である。
【００１２】
図４は、  実施の形態にかかる待受画面音声配信システムにおいて利用者がシステムを利用するときのステップを示したフローチャートである。Ｓ４１において、利用者３は、携帯電話機３１から、サーバ２１のサイトにアクセスする。サイト２１には、コンテンツのメニュー１１ａ、１２ａ、１３ａなどが表示されている。Ｓ４２において、利用者３はそのメニューの中から一つを選択して、加入契約する。この場合メニュー１１ａを選択するとする。Ｓ４３は、同意するかどうか確認するステップである。契約１０２が確認されると、Ｓ４４において、放送用待受アプリケーション１０３例えば、ＷａｌｌＣａｓｔファイルが、利用者３の携帯電話機３１にダウンロードされる。
【００１３】
Ｓ４５において、放送用待受アプリケーションがダウンロードされた携帯電話機は、待受アプリケーションが起動し、待受画面上でサーバ２１から配信されたコンテンツ１１ｂが聴取可能になる。Ｓ４６において、利用者３は、コンテンツ１１ｂの中から希望する項目を選択する。選択信号１１ｃはサーバに送信されコンテンツ１１ｂの詳細版が聴取できる。このシステムで使用される携帯電話機は折りたたみ式であって、Ｓ４８において、携帯電話機が開いているときは、携帯電話機はコンテンツ１１ｂを聴取できる。Ｓ５１においては、通常イヤフォンを接続する。Ｓ４８において、携帯電話機が閉じているときは、携帯電話機はスリープ状態であり、Ｓ４９において、携帯電話機の保存機能が作用して、コンテンツ１１ｂを保存し、Ｓ４８で、携帯電話機を開いた時再生可能状態となる。Ｓ４７においては、携帯電話機３１はコンテンツ１１ｂがサーバ２から配信されているかどうかの判断を行い、配信がないときは、Ｓ５０において、サーバ管理者２が自ら企画した写真、テキストを配信するようにしてある。
【００１４】
コンテンツ１２ｂについても同様である。図４のＳ４２において、コンテンツ１２ｂを選択すると、Ｓ４５においてコンテンツ１２ｂの配信をうけることになる。Ｓ４５において、音楽用待受アプリケーションが起動し、音楽専用の待受画面上には、曲目、作詞、作曲、演奏家などのデータを表示し、Ｓ４６において、利用者が該当項目をクリックすると、該当する音楽を聴取することができる。
【００１５】
コンテンツ１３ｂについても同様である。図４のＳ４２において、コンテンツ１３ｂを選択すると、Ｓ４５においてコンテンツ１３ｂの配信をうけることになる。Ｓ４５において、例えば、語学用待受アプリケーションが起動し、語学専用の待受画面上には、外国語の文章、単語を表示し、Ｓ４６において、利用者が該当項目をクリックすると、該当する部分のネイティブ発音が聴取できる。
【００１６】
この待受画面音声配信システムは、サーバから待受アプリケーションを送達するので、待受画面は、コントロールされることになる。従って、情報提供者からの配信コンテンツがないときでも、サーバ管理者は、適宜独自のコンテンツを送信することができる。
【００１７】
この待受画面音声配信システムは、携帯電話機のもつメールアドレスにコンテンツ送ることを基本にしているが、携帯電話機の電話番号宛てにコンテンツを送ることができる。メールアドレスはスパム回避のために変更することがある。このような状態でも、利用者は安定して、コンテンツの配信を受けることができる。
【００１８】
【発明の効果】
本発明の待受画面音声配信システムは、携帯電話機の待受画面上の操作で、コンテンツを実時間で聴取可能にするばかりでなく、保存機能があるので、随時何処でも移動中でも、コンテンツを再生して聞くことができる。さらに、携帯電話機をポケットに収容中でも、コンテンツをダウンロードしているので、聞きそびれることを防ぐ効果もある。また、情報を繰り返し聞き出すことができるので、語学の学習に効果がある。
【図面の簡単な説明】
【図１】実施の形態にかかる待受画面音声配信システムの各構成要素の関係を示した機能ブロック図である。
【図２】実施の形態にかかる待受画面音声配信システムの情報提供者、サーバ管理者及び利用者との間での手続き及び情報のやりとりを示したブロック図である。
【図３】実施の形態にかかる待受画面音声配信システムにおける情報提供者、サーバ管理者及び利用者との間のシステム実行のための準備作業を示したブロック図である。
【図４】実施の形態にかかる待受画面音声配信システムにおいて利用者がシステムを利用するときのステップを示したフローチャートである。
【符号の説明】
１  情報提供者
２  サーバ管理者
３  利用者
４  回線
１０１  再放送権等提携契約
１０２  加入契約
１０３  アプリケーションファイルのダウンロード
【図１】
2004253916.tif 000003
【図２】
2004253916.tif 000004
【図３】
2004253916.tif 000005
【図４】
2004253916.tif 000006